(57)【要約】【課題】外枠に対して前枠を容易に着脱することができる遊技機用のヒンジを提供する。【解決手段】上部前枠ヒンジ１７は、前枠に固定されるヒンジ本体２３と、ヒンジ本体２３に固定される軸受体２４とを備えている。また、上部前枠ヒンジ１７はヒンジ本体２３に水平移動可能に設けられる作動体２５と、ヒンジ本体２３に水平移動可能に設けられるストッパ部材２６とを備えている。さらに、ヒンジ本体２３は作動体２５及びストッパ部材２６の水平移動を案内する案内部材２７を備えている。そして、作動体２５は水平移動によって上部支軸の支持状態と、挿脱状態とに移行することができる。また、作動体２５は、第１圧縮コイルばね２８の付勢力によって、挿脱状態の方向に付勢されている。さらに、ストッパ部材２６は、第２圧縮コイルばね２９の付勢力によって、第１摺動部３７ａと係合する方向に付勢されている。【選択図】　　　図１
2004008704.tif 000002
【特許請求の範囲】
【請求項１】
垂直方向に延びる縦枠材と水平方向に延びる横枠材から四角枠状に形成されて外郭をなす外枠と、遊技盤が保持されて前記外枠に重なるように設けられる前枠とを備えた遊技機に用いられ、前記前枠の上端隅部及び下端隅部を外枠の一側に軸支して外枠に対して前枠を回動かつ着脱可能にする遊技機用のヒンジにおいて、前記前枠と外枠の一方に固定されるヒンジ本体と、該ヒンジ本体に固定される軸受体と、ヒンジ本体に水平移動可能に設けられる作動体と、ヒンジ本体に水平移動可能に設けられるストッパ部材と、前記作動体及びストッパ部材の水平移動を案内する案内部材と、作動体及びストッパ部材を付勢する付勢部材とを備え、前記軸受体と作動体には前枠と外枠の他方に立設される支持軸を支持する軸支部が設けられ、該軸支部には前記支持軸が水平方向から挿入可能であり、作動体の水平移動によって支持軸が軸支部に支持される支持状態と、支持軸が軸支部に挿脱可能な挿脱状態とに移行することができ、前記支持状態では前記ストッパ部材が作動体に係合することによって作動体の移動は規制され、前記付勢部材によって作動体は挿脱状態に移行する方向に付勢されるとともに、ストッパ部材は作動体と係合する方向に付勢されることを特徴とする遊技機用のヒンジ。
【請求項２】
前記ストッパ部材は作動体と同一平面に設けられ、作動体の移動方向と直交する方向に移動する請求項１に記載の遊技機用のヒンジ。
【請求項３】
前記ストッパ部材には、作動体が支持状態と挿脱状態の双方に移行する際の作動体の移動を案内する案内面が形成されている請求項１又は請求項２に記載の遊技機用のヒンジ。
【請求項４】
前記作動体は前枠の前後方向に水平移動可能に設けられ、外枠に対する前枠の閉止方向への回動に伴って、作動体の軸支部に挿入された支持軸によって作動体が押圧され、作動体が挿脱状態から支持状態に移行する請求項１から請求項３のいずれか一項に記載の遊技機用のヒンジ。
【発明の詳細な説明】
【０００１】
【発明の属する技術分野】
本発明は、パチンコ遊技機等の遊技機において、枠内に遊技盤を保持する前枠を外枠に回動かつ着脱可能に軸支するための遊技機用のヒンジに関するものである。
【０００２】
【従来の技術】
従来、遊技機の一種であるパチンコ遊技機は、その外郭が外枠により形成され、この外枠の前面には、四角枠状をなす前枠が開閉可能に軸支されている。この前枠には、打球発射装置、球皿等のパチンコゲームを展開可能とする遊技構成部材が搭載できるとともに、枠内には遊技盤を保持できるようになっている。
【０００３】
外枠の上端隅部には正面横Ｌ字状の上部外枠ヒンジが取着されている。この上部外枠ヒンジには、上部支軸が垂下されている。一方、外枠の下端隅部には正面Ｌ字状の下部外枠ヒンジが取着されている。この下部外枠ヒンジには下部支軸が上方に延びるように設けられている。
【０００４】
前枠の上端隅部には、側面逆Ｌ字状の上部前枠ヒンジが取着されている。この上部前枠ヒンジは、前枠にねじによって取着されるヒンジ本体と、平面Ｕ字状の軸受金具と、合成樹脂から鍵形状に形成されたロックレバーとを備えている。
【０００５】
この軸受金具には軸支凹部が後方に開口するように凹設され、この軸支凹部には上部支軸が水平方向から挿入可能となっている。そして、軸支凹部はその内面によって上部支軸を回動可能に支持することができる。
【０００６】
ロックレバーの基端部には、平面扇形状のロック部が設けられるとともに、ロック部の先端にはレバー片が突設されている。このレバー片は支持ピンによってヒンジ本体に回動可能に支持されている。そして、ロック部の回動によって軸支凹部の開口部分は開閉されるようになっている。また、ロック部はねじりコイルばねの付勢力によって軸支凹部の開口部分を閉止する方向に付勢されている。
【０００７】
前枠の下端隅部には側面Ｌ字状の下部前枠ヒンジが取着されている。この下部前枠ヒンジには下部支軸挿通孔が透設され、下部支軸挿通孔の下方から下部支軸が挿通されることによって下部外枠ヒンジに下部前枠ヒンジが回動可能に軸支されている。
【０００８】
前枠を外枠に取着するには、まず下部支軸挿通孔に下部支軸を挿通させる。次に上部支軸をロック部に摺動させることによって、ロック部をねじりコイルばねの付勢力に抗して回動させて、軸支凹部の開口部分から上部支軸を軸支凹部に挿入させる。このとき、ロック部はねじりコイルばねの付勢力によって軸支凹部の開口部分を閉止して上部支軸が軸支凹部から抜け止めされる。
【０００９】
また、外枠から前枠を取り外すには、レバー片を手動で回動操作することによって、ねじりコイルばねの付勢力に抗してロック部を回動させ、軸支凹部の開口部分を開口状態とする。そして、レバー片をそのまま保持することによって開口状態を維持し軸支凹部の開口部分から上部支軸を抜き出す。次に、下部支軸挿通孔から下部支軸を抜き出すことによって前枠を取り外すようになっている。
【００１０】
【発明が解決しようとする課題】
ところが、上記従来の技術では、外枠から前枠を取り外すには、レバー片を軸支凹部の開口状態に保持する必要があるため、外枠から前枠を取り外す操作が面倒であるという問題があった。
【００１１】
本発明は上記従来技術に存在する問題点に着目してなされたものである。本発明の目的は、外枠に対して前枠を容易に着脱することができる遊技機用のヒンジを提供することにある。
【００１２】
【課題を解決するための手段】
上記の目的を達成するために請求項１に記載の発明の遊技機用のヒンジでは、垂直方向に延びる縦枠材と水平方向に延びる横枠材から四角枠状に形成されて外郭をなす外枠と、遊技盤が保持されて前記外枠に重なるように設けられる前枠とを備えた遊技機に用いられ、前記前枠の上端隅部及び下端隅部を外枠の一側に軸支して外枠に対して前枠を回動かつ着脱可能にする遊技機用のヒンジにおいて、前記前枠と外枠の一方に固定されるヒンジ本体と、該ヒンジ本体に固定される軸受体と、ヒンジ本体に水平移動可能に設けられる作動体と、ヒンジ本体に水平移動可能に設けられるストッパ部材と、前記作動体及びストッパ部材の水平移動を案内する案内部材と、作動体及びストッパ部材を付勢する付勢部材とを備え、前記軸受体と作動体には前枠と外枠の他方に立設される支持軸を支持する軸支部が設けられ、該軸支部には前記支持軸が水平方向から挿入可能であり、作動体の水平移動によって支持軸が軸支部に支持される支持状態と、支持軸が軸支部に挿脱可能な挿脱状態とに移行することができ、前記支持状態では前記ストッパ部材が作動体に係合することによって作動体の移動は規制され、前記付勢部材によって作動体は挿脱状態に移行する方向に付勢されるとともに、ストッパ部材は作動体と係合する方向に付勢されるものである。
【００１３】
請求項２に記載の発明の遊技機用のヒンジでは、請求項１に記載の発明において、前記ストッパ部材は作動体と同一平面に設けられ、作動体の移動方向と直交する方向に移動するものである。
【００１４】
請求項３に記載の発明の遊技機用のヒンジでは、請求項１又は請求項２に記載の発明において、前記ストッパ部材には、作動体が支持状態と挿脱状態の双方に移行する際の作動体の移動を案内する案内面が形成されているものである。
【００１５】
請求項４に記載の発明の遊技機用のヒンジでは、請求項１から請求項３のいずれか一項に記載の発明において、前記作動体は前枠の前後方向に水平移動可能に設けられ、外枠に対する前枠の閉止方向への回動に伴って、作動体の軸支部に挿入された支持軸によって作動体が押圧され、作動体が挿脱状態から支持状態に移行するものである。
【００１６】
【発明の実施の形態】
以下、本発明をパチンコ遊技機用のヒンジに具体化した実施形態を図１〜図４に従って詳細に説明する。なお、以下において上下左右は、パチンコ遊技機を前方から見た場合の上下左右を示すものとする。
【００１７】
図４に示すように、パチンコ遊技機１１は垂直方向に延びる縦枠材１２と水平方向に延びる横枠材１３から縦長四角枠状に形成された外枠１４により外郭が形成されている。この外枠１４の前面には、四角枠状をなす前枠１５が重なるように設けられるとともに、前枠１５の左側上下隅部は外枠１４に回動かつ着脱可能に支持されている。この前枠１５には、打球発射装置、球皿等のパチンコゲームを展開可能とする遊技構成部材が搭載できるとともに、枠内には四角板状の遊技盤１６が保持されている。前枠１５の前面には、図示しないガラス扉が開閉可能に支持され、パチンコ遊技機１１の前面から遊技盤１６が視認可能となっている。このパチンコ遊技機１１は外枠１４が遊技店内等における設置枠台に固定され、島設備を構成している。そして、前枠１５は外枠１４に閉止されるとともに図示しない施錠装置によって施錠されパチンコ遊技機１１は遊技に供されている。
【００１８】
前枠１５の上端左隅部には遊技機用のヒンジとしての側面逆Ｌ字状の上部前枠ヒンジ１７が取着されている。一方、外枠１４の上端左隅部には正面横Ｌ字状の上部外枠ヒンジ１８が取着されている。図２に示すように、この上部外枠ヒンジ１８は水平方向に延びる水平板１９と垂直方向に延びる垂直板２０から構成され、水平板１９には三角板状の上部軸取付部２１が前方に延びるように形成されている。この上部軸取付部２１の略中央には、支持軸としての上部支軸２２が垂下され、この上部支軸２２は上部前枠ヒンジ１７に回動可能に支持されるようになっている。
【００１９】
図１に示すように上部前枠ヒンジ１７は、図１に２点鎖線で示す前枠１５の上端隅部に固定される側面逆Ｌ字状のヒンジ本体２３と、ヒンジ本体２３に固定される三角板状の軸受体２４とを備えている。また、上部前枠ヒンジ１７はヒンジ本体２３に水平移動可能に設けられるＴ字板状の作動体２５と、ヒンジ本体２３に水平移動可能に設けられる四角板状のストッパ部材２６とを備えている。さらに、ヒンジ本体２３は作動体２５及びストッパ部材２６の水平移動を案内するＣ字板状の案内部材２７と、作動体２５及びストッパ部材２６を付勢する付勢部材としての第１圧縮コイルばね２８及び第２圧縮コイルばね２９を備えている。
【００２０】
これらのヒンジ本体２３、軸受体２４、作動体２５、ストッパ部材２６及び案内部材２７は亜鉛メッキ鋼板等の金属板からプレス加工によって形成されている。そして、この上部前枠ヒンジ１７は、上部支軸２２を支持することができるとともに、上部支軸２２を水平方向から着脱させることができるものである。
【００２１】
ヒンジ本体２３は、水平方向に延びるように形成される横Ｌ字板状の台座板３０と該台座板３０から垂下される長四角板状の固定板３１とから構成されている。台座板３０の下面は、前枠１５の左上隅部上面に当接されるとともに、固定板３１の前面は前枠１５の左上隅部背面に当接されている。そして、図示しないビス等によって固定板３１が前枠１５に固定されることによって、上部前枠ヒンジ１７は前枠１５に固定されている。
【００２２】
図１及び図３（ａ）に示すように、台座板３０の左側には半円板状の台座部３２が形成されている。この台座部３２の上面後側には、案内部材２７がその下面を台座部３２の上面に重ねるように設けられている。また、台座部３２の上面略中央には、作動体２５がその基端側を案内部材２７の内側に嵌合するように設けられている。さらに、台座部３２の上面左側には、ストッパ部材２６が案内部材２７の内側に嵌合されるように設けられている。また、案内部材２７、作動体２５及びストッパ部材２６の上面には軸受体２４が重なるように設けられている。この軸受体２４の両側には、２つの第１挿通孔３３ａが透設され、これらの第１挿通孔３３ａに対応して、案内部材２７には２つの第２挿通孔３３ｂが透設されるとともに、台座部３２には２つのねじ孔３４が刻設されている。そして、ねじ３５が第１挿通孔３３ａ及び第２挿通孔３３ｂに挿通され、ねじ孔３４に螺挿されることによって、軸受体２４及び案内部材２７は台座部３２に固定されている。
【００２３】
案内部材２７の略中央には、平面コ字状の作動体案内凹所３６ａが凹設されている。この作動体案内凹所３６ａの前方には開口部３６ｂが形成され、この開口部３６ｂは作動体案内凹所３６ａより幅狭となっている。一方、作動体２５の基端には長四角板状の第１摺動部３７ａが設けられている。この第１摺動部３７ａの先端側中央には長四角板状の第２摺動部３７ｂが前方に延びるように設けられている。この第２摺動部３７ｂは第１摺動部３７ａより幅狭に形成され、第２摺動部３７ｂの両側から第１摺動部３７ａの両側が突出するようになっている。そして図３（ａ）に示すように、第１摺動部３７ａは作動体案内凹所３６ａの内側に嵌合されるとともに、第２摺動部３７ｂは開口部３６ｂの内側に嵌合されている。この第１摺動部３７ａの両側面は作動体案内凹所３６ａの内面に案内されながら摺動されるとともに、第２摺動部３７ｂの両側面は開口部３６ｂの内面に案内されながら摺動され、作動体２５は台座部３２の上面を前後方向に水平移動できるようになっている。また、作動体２５が前方に水平移動する際、第１摺動部３７ａの両側が開口部３６ｂに係止されることによって、作動体案内凹所３６ａからの第１摺動部３７ａの抜け出しが防止されている。
【００２４】
なお、作動体２５の板厚は案内部材２７の板厚より若干薄く形成され、作動体２５は台座部３２と軸受体２４の間を円滑に水平移動できるようになっている。
作動体案内凹所３６ａの左内面には、平面コ字状のストッパ部材案内凹所３８が作動体案内凹所３６ａに直交するように凹設され、このストッパ部材案内凹所３８の内側にはストッパ部材２６が嵌合されている。そして、このストッパ部材２６がストッパ部材案内凹所３８の内面に案内されながら摺動されることによって、台座部３２の上面を作動体２５の移動方向と直交するように水平移動できるようになっている。なお、作動体２５と同様にストッパ部材２６の板厚は案内部材２７の板厚より若干薄く形成され、ストッパ部材２６は台座部３２と軸受体２４の間を円滑に水平移動できるようになっている。ここで、図３（ｃ）に示すように第１摺動部３７ａの基端面が作動体案内凹所３６ａの奥壁面に当接した状態において、ストッパ部材２６は作動体２５に向かって移動することができる。そして、ストッパ部材２６の先端はストッパ部材案内凹所３８から作動体案内凹所３６ａの内側に突出するとともに、ストッパ部材２６の先端面は第２摺動部３７ｂの左側面に当接する。このとき、ストッパ部材２６の先端は第１摺動部３７ａの内側に係合することができ、作動体２５の前方への移動が規制されるようになっている。
【００２５】
図１に示すように、ストッパ部材２６の先端面は、第１摺動部３７ａを案内するための案内面３９となっている。この案内面３９は図３（ａ）に示すようにストッパ部材２６がストッパ部材案内凹所３８に退避している状態において、作動体案内凹所３６ａの内面と面一となっている。そして、第１摺動部３７ａの左側面は案内面３９に案内されて前枠１５の前後方向に移動できるようになっている。
【００２６】
図１に示すように、ストッパ部材２６の上面には操作ピン４０が立設されている。一方、軸受体２４の中央には、この操作ピン４０に対応して長孔４１が透設されている。この長孔４１には、操作ピン４０が挿入され操作ピン４０の先端は軸受体２４の上面から突設されている。そして、この操作ピン４０を手動で操作することによって、ストッパ部材２６を水平移動できるようになっている。
【００２７】
作動体２５の先端側には、軸支部としての長孔状の第１軸支凹部４２が前枠１５の右前方に開口するように凹設されている。一方、軸受体２４の先端側には軸支部としての長孔状の第２軸支凹部４３が前枠１５の左前方に開口するように凹設されている。これらの軸支凹部４２、４３は互いに直交するように設けられ、作動体２５が水平移動する際、第１軸支凹部４２の内奥部は第２軸支凹部４３に重なるように水平移動するようになっている。
【００２８】
ここで、図３（ｂ）に示すように作動体２５が前枠１５の前方に移動した状態は、第１軸支凹部４２に上部支軸２２が水平方向から挿脱可能な挿脱状態となっている。そして、図３（ｃ）に示すように作動体２５が前枠１５の後方に移動すると、第１軸支凹部４２に挿入された上部支軸２２は、さらに第２軸支凹部４３の開口部分から第２軸支凹部４３に挿入される。このとき、第１軸支凹部４２と第２軸支凹部４３における上部支軸２２の挿入方向は直交するようになっている。従って、各軸支凹部４２、４３の内奥部が重なることによって、上部支軸２２を容易に支持することができる。
【００２９】
ここで、作動体２５が前枠１５の後方に移動し、ストッパ部材２６によって作動体２５の移動が規制された状態は、第１軸支凹部４２と第２軸支凹部４３の内奥部によって上部支軸２２が支持される支持状態となっている。このように、上部前枠ヒンジは作動体２５の水平移動によって、上部支軸２２の挿脱状態と支持状態に移行することができるようになっている。
【００３０】
作動体案内凹所３６ａの奥壁面と第１摺動部３７ａの基端面には、それぞれ第１ばね取付部４４ａ、４４ｂが凹設され、これらの第１ばね取付部４４ａ、４４ｂには第１圧縮コイルばね２８がその付勢方向を作動体２５の移動方向に向けて嵌着されている。そして、この第１圧縮コイルばね２８の付勢力によって、作動体２５は挿脱状態に移行する方向に付勢されている。
【００３１】
図１に示すようにストッパ部材案内凹所３８の奥壁面には、第２ばね取付部４５が凹設され、この第２ばね取付部４５には第２圧縮コイルばね２９がその付勢方向をストッパ部材２６の移動方向に向けて嵌着されている。この第２圧縮コイルばね２９の一端はストッパ部材２６の基端面に当接され、第２圧縮コイルばね２９の付勢力によって、ストッパ部材２６は第１摺動部３７ａに係合する方向に付勢されている。
【００３２】
図２に示すように、外枠１４の下端左隅部には、正面Ｌ字状の下部外枠ヒンジ４６が取着されている。この下部外枠ヒンジ４６には、三角板状の下部軸取付部４７が前方に延びるように形成されている。この下部軸取付部４７の略中央には、下部支軸４８が上方に延びるように設けられ、上部支軸２２と同芯上で対向するようになっている。前枠１５の下端左隅部には側面Ｌ字状の下部前枠ヒンジ４９が取着され、この下部前枠ヒンジ４９には三角板状の下部軸受部５０が前方に延びるように形成されている。この下部軸受部５０の略中央には下部支軸挿通孔５１が透設され、この下部支軸挿通孔５１には下部支軸４８が挿入可能となっている。そして、下部軸取付部４７の上面に下部軸受部５０の下面を重ねるように下部支軸４８に下部支軸挿通孔５１を嵌挿すると、前枠の下部が外枠の下部に回動可能に軸支できるようになっている。
【００３３】
さて、上部前枠ヒンジ１７を製造するには、金属板をプレス加工（打ち抜き、曲げ等）することによってヒンジ本体２３、軸受体２４、作動体２５、ストッパ部材２６及び案内部材２７を形成する。従って、ヒンジ本体２３、軸受体２４、作動体２５、ストッパ部材２６及び案内部材２７は、ダイカスト等の複雑な加工を施すことなく、プレス加工によって容易に製造することができる。この金属板の厚さは、好ましくは０．５〜１０ｍｍ、より好ましくは１〜８ｍｍ、最も好ましくは２〜５ｍｍである。この厚さが２ｍｍ未満であると、上部前枠ヒンジ１７に十分な耐久性が得られないおそれがある。一方、５ｍｍを超えるとプレス加工が困難になるおそれがある。
【００３４】
次に、上部前枠ヒンジ１７を組み立てるには、まず台座部３２の上面に案内部材２７、作動体２５及びストッパ部材２６を配設する。次に、第１圧縮コイルばね２８を第１ばね取付部４４ａ、４４ｂに嵌着し、第２圧縮コイルばね２９を第２ばね取付部４５に嵌着する。続いて、案内部材２７及び作動体２５の上面に軸受体２４を配設し、ねじ３５を第１挿通孔３３ａ及び第２挿通孔３３ｂに挿通するとともにねじ孔３４に螺入する。
【００３５】
続いて、上部前枠ヒンジ１７を前枠１５に取着するには、台座板３０の下面を前枠１５の左上隅部上面に当接するとともに、固定板３１の前面を前枠１５の左上隅部背面に当接し、ビス等によって固定板３１を前枠１５に締付け固定する。
【００３６】
次に、前枠１５を外枠１４に取着するには図２に示すように、まず外枠１４の前面に前枠１５の前面が略直交するように前枠１５を配置する。次に、前枠１５の上部を外枠１４の前方に傾斜させながら下部支軸４８に下部支軸挿通孔５１を嵌挿し、下部軸取付部４７に下部軸受部５０を重ねる。続いて、上部軸取付部２１の下方に上部前枠ヒンジ１７の上面を挿入するように前枠１５の上部を外枠１４側に傾斜させる。次に、第１軸支凹部４２に上部支軸２２を挿入しながら、前枠１５を直立させる。
【００３７】
次いで、前枠１５を閉止方向に回動させる。すると、上部前枠ヒンジ１７の背面左端は横枠材１３の前面に当接され、前枠１５の上部が前方に押圧されるとともに、図３（ｂ）に示すように上部支軸２２によって第１軸支凹部４２の内面は押圧される。同時に、図３（ｃ）に示すように、第１軸支凹部４２に挿入された上部支軸２２は、さらに第２軸支凹部４３に挿入され、第１摺動部３７ａは第１圧縮コイルばね２８の付勢力に抗して作動体案内凹所３６ａの内奥部に摺動される。そして、第１摺動部３７ａの基端面が作動体案内凹所３６ａの奥壁面に当接するとともに、第２圧縮コイルばね２９の付勢力によって、ストッパ部材２６は作動体２５に向かって移動する。そして、ストッパ部材２６の先端面が第２摺動部３７ｂの左側面に当接するとともに、ストッパ部材２６の先端が第１摺動部３７ａの内側に係合する。このストッパ部材２６に係合によって作動体２５の移動は規制され、作動体２５は上部支軸２２の支持状態に維持される。このとき、ストッパ部材２６は第２圧縮コイルばね２９の付勢力によって作動体２５と係合する方向に付勢されている。従って、ストッパ部材２６は第１摺動部３７ａと容易に係合することができ、作動体２５を支持状態に容易に規制することかできる。また、ストッパ部材２６は作動体２５の移動方向と直交する方向に水平移動するように構成されている。従って、ストッパ部材２６は第１摺動部３７ａに容易に係合することができ、作動体２５の移動を容易に規制することができる。
【００３８】
また、第１軸支凹部４２に上部支軸２２を挿入しながら、前枠１５を直立させ、前枠１５の上部を左方に押圧することによって、上部支軸２２を第２軸支凹部４３に挿入して作動体２５を支持状態に移行することもできる。
【００３９】
続いて、外枠１４から前枠１５を取り外すには、図４に示すようにまず外枠１４に対して前枠１５が略直交するように前枠１５を開放する。次に、図３（ｃ）に示すように、第２圧縮コイルばね２９の付勢力に抗して操作ピン４０を手動でスライドさせることによって、ストッパ部材２６を後方に移動させ、ストッパ部材２６と第１摺動部３７ａの係合を解除する（図３（ｂ）の状態）。次に、第１圧縮コイルばね２８の付勢力に任せるように前枠１５の上部を右方に傾斜させ、上部支軸２２を第２軸支凹部４３から脱離させる。このとき、作動体２５は第１圧縮コイルばね２８によって挿脱状態に移行する方向に付勢されている。従って、操作ピン４０を手で保持することなく、操作ピン４０のワンタッチ操作と前枠１５を傾斜させる操作によって上部支軸２２を第２軸支凹部４３から容易に離脱させることができる（図３（ａ）の状態）。
【００４０】
続いて、前枠１５の上部を外枠１４側に傾斜させ、第１軸支凹部４２から上部支軸２２を脱離させる。次に、前枠１５の上部を外枠１４の前方に傾斜させ、前枠１５を持ち上げることによって、下部支軸４８から下部支軸挿通孔５１を抜脱させる。
【００４１】
本実施形態によって発揮される効果について、以下に記載する。
・　この実施形態の遊技機用のヒンジにおいては、上部前枠ヒンジ１７はヒンジ本体２３、軸受体２４、作動体２５、ストッパ部材２６及び案内部材２７とを備えている。そして、作動体２５は水平移動によって上部支軸２２の支持状態と、挿脱状態とに移行することができる。さらに、作動体２５は、第１圧縮コイルばね２８の付勢力によって、挿脱状態の方向に付勢されている。また、ストッパ部材２６は、第２圧縮コイルばね２９の付勢力によって、第１摺動部３７ａと係合する方向に付勢されている。このように構成した場合、ストッパ部材２６は第１摺動部３７ａと容易に係合することができ、作動体２５を支持状態に容易に規制することかできる。従って、外枠１４に前枠１５を容易に取着することができる。また、ストッパ部材２６を移動させ、ストッパ部材２６と第１摺動部３７ａの係合を解除することによって、作動体２５を容易に挿脱状態にすることができる。従って、レバー片等を手で保持する必要がないため、外枠１４から前枠１５を容易に取り外すことができる。よって、外枠１４に対して前枠１５を容易に着脱することができる。
【００４２】
・　この実施形態の遊技機用のヒンジにおいては、ストッパ部材２６と作動体２５は、台座部３２の上面に配設されている。また、ストッパ部材２６は作動体２５の移動方向と直交する方向に移動するようになっている。このように構成した場合、ストッパ部材２６は第１摺動部３７ａに容易に係脱することができ、外枠１４対して前枠１５をさらに容易に着脱することができる。
【００４３】
・　この実施形態の遊技機用のヒンジにおいては、ストッパ部材２６の先端面は、作動体２５が支持状態と挿脱状態の双方に移行する際、第１摺動部３７ａの移動を案内する案内面３９となっている。このように構成した場合、第１摺動部３７ａが移動する際のがたつきが抑制され、作動体２５を円滑に移動させることができる。
【００４４】
・　この実施形態の遊技機用のヒンジにおいては、作動体２５は前枠の前後方向に水平移動可能に設けられている。そして、外枠１４に対する前枠１５の閉止方向への回動に伴って、第１軸支凹部４２に挿入された上部支軸２２によって作動体２５が押圧され、作動体２５が挿脱状態から支持状態に移行するようになっている。このように構成した場合、通常の前枠１５の回動操作によって支持状態にすることができるため、外枠１４に前枠１５を容易に装着することができる。
【００４５】
・　この実施形態の遊技機用のヒンジにおいては、ヒンジ本体２３、軸受体２４、作動体２５、ストッパ部材２６及び案内部材２７は、金属板のプレス加工によって形成されている。このように構成した場合、ダイカスト等の複雑な加工を施すことなく、プレス加工によって容易に製造することができる。また、合成樹脂製の部品を混在させることもなく、金属板から一貫して製造することができる。従って、各部材を同一材質で構成することができるため、リサイクル対策において有益である。従って、製造コストを抑制することができるとともに、リサイクルの効率化を求めた構成にすることができる。
【００４６】
・　前記作動体２５及びストッパ部材２６を台座部３２の上面に回動可能に設けた場合は、台座部３２にピン等の軸部材を立設する必要があり、複雑な構造になるという問題がある。この実施形態の上部前枠ヒンジ１７においては、作動体２５及びストッパ部材２６は台座部３２の上面に水平移動可能に設けられている。従って、軸部材等を設ける必要がないため、簡単な構造にすることができる。
【００４７】
なお、前記実施形態を次のように変更して具体化することも可能である。
・　前記実施形態では、ヒンジ本体２３は、水平方向に延びるように形成される台座板３０と台座板３０から垂下される固定板３１とから構成され、上部前枠ヒンジ１７は前枠１５の上端隅部に取着されている。しかし、上部前枠ヒンジ１７を外枠１４の上端隅部に取着するとともに、上部外枠ヒンジ１８を前枠１５の上端隅部に取着して使用してもよい。この場合、固定板３１に替えてヒンジ本体２３に水平板１９及び垂直板２０を延設することによって前枠１５の上端隅部に取着することができる。また、この場合、上部軸取付部２１に上部支軸２２を設けずに、上部軸取付部２１を台座部３２として使用してもよい。
【００４８】
・　前記上部前枠ヒンジ１７を前枠１５の下端隅部に取着するとともに、下部前枠ヒンジ４９を前枠１５の上端隅部に取着して使用してもよい。また、上部前枠ヒンジ１７を外枠１４の下端隅部に取着して使用してもよい。この場合、下部外枠ヒンジ４６を前枠１５の下端隅部に取着するとともに、下部前枠ヒンジ４９を前枠１５の上端隅部に取着する。
【００４９】
・　前記実施形態では、第１摺動部３７ａの先端側中央には長四角板状の第２摺動部３７ｂが前方に延びるように設けられている。そして、第２摺動部３７ｂは第１摺動部３７ａより幅狭に形成され、第２摺動部３７ｂの両側から第１摺動部３７ａの両側が突出するようになっている。しかし、第１摺動部３７ａを幅狭に形成することによって、第１摺動部３７ａの左側は第２摺動部３７ｂの左側から突出するように構成するとともに、第１摺動部３７ａの右側面は第２摺動部３７ｂの右側面と面一となるように構成してもよい。このとき、作動体案内凹所３６ａの右側内面が開口部３６ｂの右側内面と面一となるように構成する。このように構成しても、第１摺動部３７ａの右側面が作動体案内凹所３６ａの右側内面に案内されるとともに、第２摺動部３７ｂの右側面が開口部３６ｂの右側内面によって案内されながら、作動体２５は水平移動することができる。また、第１摺動部３７ａの左側と開口部３６ｂの右側に掛止されることによって作動体案内凹所３６ａからの第１摺動部３７ａの抜け出しが防止される。
【００５０】
・　前記実施形態では、軸受体２４及び案内部材２７はねじ３５によって台座部３２に固定されているが、リベット等の他の固定部材によって固定してもよい。
【００５１】
・　前記第１圧縮コイルばね２８及び第２圧縮コイルばね２９を、板ばねやゴム等の他の付勢部材に変更してもよい。また、案内部材２７に形成される第１ばね取付部４４ａと第２ばね取付部４５を連通形成し、１つの付勢部材によって作動体２５とストッパ部材２６を付勢するように構成してもよい。
【００５２】
・　金属板の材質は鋼鉄、アルミニウム等、特に限定されないが、プレス加工性が良好であり、強度に優れることから鋼鉄が好ましい。
・　前記実施形態では遊技機用のヒンジを遊技機としてのパチンコ遊技機に適用しているが、パチスロ、アレンジボール等のパチンコ遊技機以外の遊技機に適用してもよい。
【００５３】
次に、実施形態から把握できる技術的思想について以下に記載する。
（１）　前記ヒンジ本体、軸受体、作動体、ストッパ部材及び案内部材を金属板からプレス加工によって形成した請求項１から請求項４のいずれか一項に記載の遊技機用のヒンジ。このように構成した場合、容易に製造できるとともに、合成樹脂から成形した場合と比較して耐久性を向上させることができる。
【００５４】
（２）　前記ストッパ部材にピンを立設し、該ピンを操作することによってストッパ部材を移動可能に構成した請求項１から請求項４及び上記（１）のいずれか一項に記載の遊技機用のヒンジ。このように構成した場合、ストッパ部材を容易に移動させることができ、外枠から前枠をより容易に取り外すことができる。
【００５５】
（３）　前記軸受体の軸支部と作動体の軸支部における支持軸の挿入方向は互いに直交するように形成されている請求項１から請求項４、上記（１）及び（２）のいずれか一項に記載の遊技機用のヒンジ。このように構成した場合、各軸支部に支持軸を容易に挿入支持させることができる。
【００５６】
【発明の効果】
この発明は、以上のように構成されているため、次のような効果を奏する。
請求項１に記載の遊技機用のヒンジによれば、外枠に対して前枠を容易に着脱することができる。
【００５７】
請求項２に記載の遊技機用のヒンジによれば、請求項１に記載の発明の効果に加えて、外枠に対して前枠をさらに容易に着脱することができる。
請求項３に記載の遊技機用のヒンジによれば、請求項１又は請求項２に記載の発明の効果に加えて、作動体を円滑に移動させることができる。
【００５８】
請求項４に記載の遊技機用のヒンジによれば、請求項１から請求項３のいずれか一項に記載の発明の効果に加えて、外枠に前枠を容易に装着することができる。
【図面の簡単な説明】
【図１】実施形態における遊技機用のヒンジを示す分解斜視図。
【図２】外枠と前枠の取着部分を示す斜視図。
【図３】（ａ）は挿脱状態を示す要部破断平面図、（ｂ）は支持軸が挿入された状態を示す要部破断平面図、（ｃ）は支持状態を示す要部破断平面図。
【図４】外枠に前枠が取着された状態を示す斜視図。
【符号の説明】
１１…遊技機としてのパチンコ遊技機、１２…縦枠材、１３…横枠材、１４…外枠、１５…前枠、１６…遊技盤、１７…遊技機用のヒンジとしての上部前枠ヒンジ、２２…支持軸としての上部支軸、２３…ヒンジ本体、２４…軸受体、２５…作動体、２６…ストッパ部材、２７…案内部材、２８…付勢部材としての第１圧縮コイルばね、２９…付勢部材としての第２圧縮コイルばね、３９…案内面、４２…軸支部としての第１軸支凹部、４３…軸支部としての第２軸支凹部。
【図１】
2004008704.tif 000003
【図２】
2004008704.tif 000004
【図３】
2004008704.tif 000005
【図４】
2004008704.tif 000006